(57)【要約】【課題】  コストの上昇及び装置の大型化を招くことなく、何れの表示規格が採用された外部表示装置が接続された場合でも、当該外部表示装置にて映像を表示させることができる撮影装置を得る。【解決手段】  ビデオ出力端子６６にテレビジョン受像機７４が接続された場合に、当該テレビジョン受像機７４の表示規格を指定させるための指定画面を液晶ディスプレイ３８によって表示させ、当該指定画面を介して指定された表示規格を、映像信号を生成するデジタルエンコーダ６２に設定する。【選択図】        図２
2006203411.tif 000002
【特許請求の範囲】
【請求項１】
撮像によって被写体像を示す画像データを取得する撮像手段と、
前記画像データに基づいて前記被写体像を示し、かつ設定された表示規格に応じた映像信号を生成する生成手段と、
前記映像信号に基づいて前記被写体像を表示する表示手段と、
前記映像信号を外部に出力するためのビデオ出力端子と、
前記ビデオ出力端子に外部表示装置が接続されたことを検出する検出手段と、
前記検出手段によって前記外部表示装置が接続されたことが検出された場合に前記外部表示装置の表示規格を指定させるための指定画面を表示するように前記表示手段を制御し、当該指定画面を介して指定された表示規格を前記生成手段に設定する制御手段と、
を備えた撮影装置。
【請求項２】
前記生成手段は、前記ビデオ出力端子に前記外部表示装置が接続されていない場合に前記表示手段によって対応している表示規格における表示画像の品質が最も高い表示規格に応じた前記映像信号を生成する
請求項１記載の撮影装置。
【請求項３】
撮像によって被写体像を示す画像データを取得する撮像手段と、
前記画像データに基づいて前記被写体像を示し、かつ設定された表示規格に応じた映像信号を生成する生成手段と、
前記映像信号に基づいて前記被写体像を表示する表示手段と、
前記映像信号を外部に出力するためのビデオ出力端子と、
前記ビデオ出力端子に外部表示装置が接続されたことを検出する検出手段と、
外部の音声を音声信号として入力する音声入力手段と、
前記検出手段によって前記外部表示装置が接続されたことが検出された場合に前記映像信号を予め定められた表示規格に応じ、かつ予め定められた基準音声信号が重畳された状態で生成させるように前記生成手段を制御すると共に、当該制御に応じて前記生成手段により生成された映像信号が入力されて前記外部表示装置から発せられる音声を前記音声入力手段によって音声信号として入力し、当該音声信号によって示される音声が前記基準音声信号によって示される音声に対応するものであるか否かを判定して、対応するものであると判定した場合には前記予め定められた表示規格を前記生成手段に設定し、対応するものではないと判定した場合には前記予め定められた表示規格以外の表示規格を前記生成手段に設定する制御手段と、
を備えた撮影装置。
【請求項４】
前記制御手段は、前記対応するものではないと判定した場合に、前記映像信号を、それまでに前記生成手段に設定していない表示規格に応じ、かつ前記基準音声信号が重畳された状態で生成させるように前記生成手段を制御すると共に、当該制御に応じて前記生成手段により生成された映像信号が入力されて前記外部表示装置から発せられる音声を前記音声入力手段によって音声信号として入力し、当該音声信号によって示される音声が前記基準音声信号によって示される音声に対応するものであるか否かを判定することを、対応するものであると判定するまで繰り返し実行し、当該対応するものであると判定したときに前記生成手段により生成されている映像信号の表示規格を前記外部表示装置の表示規格であるものとして前記生成手段に設定する
請求項３記載の撮影装置。
【請求項５】
前記制御手段は、前記繰り返し実行する処理を、対象とする全ての表示規格について実行しても前記対応するものであると判定されない場合、前記外部表示装置の表示規格を指定させるための指定画面を表示するように前記表示手段を制御し、当該指定画面を介して指定された表示規格を前記生成手段に設定する
請求項４記載の撮影装置。
【請求項６】
前記生成手段は、前記ビデオ出力端子に前記外部表示装置が接続されていない場合に前記表示手段によって対応している表示規格における表示画像の品質が最も高い表示規格に応じた前記映像信号を生成する
請求項３乃至請求項５の何れか１項記載の撮影装置。
【発明の詳細な説明】
【技術分野】
【０００１】
本発明は、撮影装置に係り、特に、撮影された被写体像を示す映像信号を外部に出力するためのビデオ出力端子を備えた撮影装置に関する。
【背景技術】
【０００２】
デジタル電子スチルカメラやデジタルビデオカメラなどの撮影装置には、被写体像のモニター用として液晶表示装置が設けられている場合が多い。また、撮影された被写体像をテレビジョン受像機などの外部表示装置で表示するために、映像信号を出力するビデオ出力端子が設けられている場合も多い。
【０００３】
ところで、液晶表示装置や外部表示装置等の表示規格として、ＮＴＳＣ（National Television System Committee）方式、ＰＡＬ（Phase Alternation by Line）方式、ＳＥＣＡＭ（Sepquentiel Couleus a Memoire）方式などがあり、表示規格によって各種仕様が異なる。例えば、ＮＴＳＣ方式では、垂直解像度が５２５本で、フレーム・レートが約３０ｆｐｓであるのに対し、ＰＡＬ方式及びＳＥＣＡＭ方式では、垂直解像度が６２５本で、フレーム・レートが２５ｆｐｓである。
【０００４】
一方、撮影装置に搭載されている液晶表示装置は、一般に、ＮＴＳＣ方式やＰＡＬ方式等の異なる表示規格の映像信号でも映像を表示することができるように構成されている。具体的には、搭載されている液晶表示装置に対してＰＡＬ方式やＳＥＣＡＭ方式の映像信号を用いて映像を表示する際には、液晶デバイスにおいて走査線の間引きを行うようになっている。これに対して、外部表示装置では、採用している表示規格に応じた映像信号が入力された場合のみ映像を表示することができる。
【０００５】
このため、ビデオ出力端子を有する撮影装置では、ＮＴＳＣ方式や、ＰＡＬ方式等の何れの表示規格が採用された外部表示装置が接続された場合でも、当該外部表示装置にて映像を表示することができるようにすることが要望されている。
【０００６】
この要望に応えるために適用できる技術として、従来、入力信号の規格がＰＡＬ方式かＮＴＳＣ方式かを自動判別して処理を切り換える技術があった（例えば、特許文献１、特許文献２参照。）。
【０００７】
この技術を、ＮＴＳＣ方式及びＰＡＬ方式等の異なる表示規格の映像信号を選択的に出力することのできる撮影装置に適用することにより、接続された外部表示装置の表示規格を自動判別して、当該外部表示装置の表示規格に応じた映像信号を出力することにより、何れの表示規格が採用された外部表示装置が接続された場合でも、当該外部表示装置にて映像を表示することができるようになる。
【特許文献１】特開２００１−３２６９４３公報
【特許文献２】特開２００２−３００４２２公報
【発明の開示】
【発明が解決しようとする課題】
【０００８】
しかしながら、上記表示規格を自動判別する従来の技術では、表示規格を判別するための特別な回路構成が必要であり、コストの上昇及び装置の大型化を招いてしまう、という問題点があった。
【０００９】
本発明は上記問題点を解決するためになされたものであり、コストの上昇及び装置の大型化を招くことなく、何れの表示規格が採用された外部表示装置が接続された場合でも、当該外部表示装置にて映像を表示させることができる撮影装置を提供することを目的とする。
【課題を解決するための手段】
【００１０】
上記目的を達成するために、請求項１記載の撮影装置は、撮像によって被写体像を示す画像データを取得する撮像手段と、前記画像データに基づいて前記被写体像を示し、かつ設定された表示規格に応じた映像信号を生成する生成手段と、前記映像信号に基づいて前記被写体像を表示する表示手段と、前記映像信号を外部に出力するためのビデオ出力端子と、前記ビデオ出力端子に外部表示装置が接続されたことを検出する検出手段と、前記検出手段によって前記外部表示装置が接続されたことが検出された場合に前記外部表示装置の表示規格を指定させるための指定画面を表示するように前記表示手段を制御し、当該指定画面を介して指定された表示規格を前記生成手段に設定する制御手段と、を備えている。
【００１１】
請求項１に記載の撮影装置によれば、撮像手段による撮像によって被写体像を示す画像データが取得される。なお、上記撮像手段には、ＣＣＤ（電荷結合素子）、ＣＭＯＳイメージセンサ等の固体撮像素子が含まれる。
【００１２】
また、本発明の撮影装置には、前記画像データに基づいて前記被写体像を示し、かつ設定された表示規格に応じた映像信号を生成する生成手段と、前記映像信号に基づいて前記被写体像を表示する表示手段と、前記映像信号を外部に出力するためのビデオ出力端子と、が備えられており、前記ビデオ出力端子に外部表示装置が接続されたことが検出手段によって検出される。なお、上記表示手段には、液晶ディスプレイ、ＣＲＴディスプレイ、プラズマ・ディスプレイ、有機ＥＬディスプレイ等の各種ディスプレイ装置が含まれる。また、上記表示規格には、ＮＴＳＣ方式、ＰＡＬ方式、ＳＥＣＡＭ方式が含まれる。
【００１３】
ここで、本発明の撮影装置では、前記検出手段によって前記外部表示装置が接続されたことが検出された場合に、制御手段により、前記外部表示装置の表示規格を指定させるための指定画面が表示されるように前記表示手段が制御され、当該指定画面を介して指定された表示規格が前記生成手段に設定される。
【００１４】
このように、請求項１に記載の撮影装置によれば、ビデオ出力端子に外部表示装置が接続された場合に当該外部表示装置の表示規格を指定させるための指定画面を表示手段によって表示させ、当該指定画面を介して指定された表示規格を、映像信号を生成する生成手段に設定しているので、表示規格を判別するための特別な回路構成等の新たな構成要素を必要とせず、コストの上昇及び装置の大型化を招くことなく、何れの表示規格が採用された外部表示装置が接続された場合でも、当該外部表示装置にて映像を表示させることができる。
【００１５】
なお、本発明の前記生成手段は、請求項２に記載の発明のように、前記ビデオ出力端子に前記外部表示装置が接続されていない場合に前記表示手段によって対応している表示規格における表示画像の品質が最も高い表示規格に応じた前記映像信号を生成することが好ましい。これによって、外部表示装置が接続されていない場合には、表示手段により高画質での画像の表示を行うことができる。
【００１６】
一方、上記目的を達成するために、請求項３記載の撮影装置は、撮像によって被写体像を示す画像データを取得する撮像手段と、前記画像データに基づいて前記被写体像を示し、かつ設定された表示規格に応じた映像信号を生成する生成手段と、前記映像信号に基づいて前記被写体像を表示する表示手段と、前記映像信号を外部に出力するためのビデオ出力端子と、前記ビデオ出力端子に外部表示装置が接続されたことを検出する検出手段と、外部の音声を音声信号として入力する音声入力手段と、前記検出手段によって前記外部表示装置が接続されたことが検出された場合に前記映像信号を予め定められた表示規格に応じ、かつ予め定められた基準音声信号が重畳された状態で生成させるように前記生成手段を制御すると共に、当該制御に応じて前記生成手段により生成された映像信号が入力されて前記外部表示装置から発せられる音声を前記音声入力手段によって音声信号として入力し、当該音声信号によって示される音声が前記基準音声信号によって示される音声に対応するものであるか否かを判定して、対応するものであると判定した場合には前記予め定められた表示規格を前記生成手段に設定し、対応するものではないと判定した場合には前記予め定められた表示規格以外の表示規格を前記生成手段に設定する制御手段と、を備えている。
【００１７】
請求項３に記載の撮影装置によれば、撮像手段による撮像によって被写体像を示す画像データが取得される。なお、上記撮像手段には、ＣＣＤ、ＣＭＯＳイメージセンサ等の固体撮像素子が含まれる。
【００１８】
また、本発明の撮影装置には、前記画像データに基づいて前記被写体像を示し、かつ設定された表示規格に応じた映像信号を生成する生成手段と、前記映像信号に基づいて前記被写体像を表示する表示手段と、前記映像信号を外部に出力するためのビデオ出力端子と、が備えられており、前記ビデオ出力端子に外部表示装置が接続されたことが検出手段によって検出される。なお、上記表示手段には、液晶ディスプレイ、ＣＲＴディスプレイ、プラズマ・ディスプレイ、有機ＥＬディスプレイ等の各種ディスプレイ装置が含まれる。また、上記表示規格には、ＮＴＳＣ方式、ＰＡＬ方式、ＳＥＣＡＭ方式が含まれる。
【００１９】
また、本発明の撮影装置には、外部の音声を音声信号として入力する音声入力手段が備えられている。なお、上記音声入力手段には、マイクロフォンが含まれる。
【００２０】
ここで、本発明の撮影装置では、制御手段により、前記検出手段によって前記外部表示装置が接続されたことが検出された場合に前記映像信号を予め定められた表示規格に応じ、かつ予め定められた基準音声信号が重畳された状態で生成させるように前記生成手段が制御されると共に、当該制御に応じて前記生成手段により生成された映像信号が入力されて前記外部表示装置から発せられる音声が前記音声入力手段によって音声信号として入力され、当該音声信号によって示される音声が前記基準音声信号によって示される音声に対応するものであるか否かが判定されて、対応するものであると判定された場合には前記予め定められた表示規格が前記生成手段に設定され、対応するものではないと判定された場合には前記予め定められた表示規格以外の表示規格が前記生成手段に設定される。
【００２１】
すなわち、本発明は、外部表示装置に入力する映像信号を、予め定められた表示規格のもので、かつ予め定められた基準音声信号が重畳されたものとすることにより、外部表示装置が上記予め定められた表示規格に対応するものである場合には当該外部表示装置から上記基準音声信号によって示される音声が再生され、外部表示装置が上記予め定められた表示規格に対応していないものである場合には当該外部表示装置から上記基準音声信号によって示される音声が再生されないことを利用して、外部表示装置の表示規格を自動的に判別して設定するようにしている。
【００２２】
このように、請求項３に記載の撮影装置によれば、ビデオ出力端子に外部表示装置が接続された場合に、映像信号を予め定められた表示規格に応じ、かつ予め定められた基準音声信号が重畳された状態で生成させるように、映像信号を生成する生成手段を制御すると共に、当該制御に応じて生成された映像信号が入力されて前記外部表示装置から発せられる音声を音声信号として入力し、当該音声信号によって示される音声が前記基準音声信号によって示される音声に対応するものであるか否かを判定して、対応するものであると判定した場合には前記予め定められた表示規格を前記生成手段に設定し、対応するものではないと判定した場合には前記予め定められた表示規格以外の表示規格を前記生成手段に設定しているので、前記外部表示装置によって採り得る表示規格が２種類である場合には、表示規格を判別するための特別な回路構成等の新たな構成要素を必要とせず、コストの上昇及び装置の大型化を招くことなく、何れの表示規格が採用された外部表示装置が接続された場合でも、当該外部表示装置にて映像を表示させることができる。
【００２３】
なお、本発明の前記制御手段は、請求項４に記載の発明のように、前記対応するものではないと判定した場合に、前記映像信号を、それまでに前記生成手段に設定していない表示規格に応じ、かつ前記基準音声信号が重畳された状態で生成させるように前記生成手段を制御すると共に、当該制御に応じて前記生成手段により生成された映像信号が入力されて前記外部表示装置から発せられる音声を前記音声入力手段によって音声信号として入力し、当該音声信号によって示される音声が前記基準音声信号によって示される音声に対応するものであるか否かを判定することを、対応するものであると判定するまで繰り返し実行し、当該対応するものであると判定したときに前記生成手段により生成されている映像信号の表示規格を前記外部表示装置の表示規格であるものとして前記生成手段に設定することが好ましい。これによって、前記外部表示装置によって採り得る表示規格が３種類以上であっても、表示規格を判別するための特別な回路構成等の新たな構成要素を必要とせず、コストの上昇及び装置の大型化を招くことなく、何れの表示規格が採用された外部表示装置が接続された場合でも、当該外部表示装置にて映像を表示させることができる。
【００２４】
特に、請求項４記載の発明の前記制御手段は、請求項５に記載の発明のように、前記繰り返し実行する処理を、対象とする全ての表示規格について実行しても前記対応するものであると判定されない場合、前記外部表示装置の表示規格を指定させるための指定画面を表示するように前記表示手段を制御し、当該指定画面を介して指定された表示規格を前記生成手段に設定することが好ましい。これによって、周囲に雑音が多い等の理由により、外部表示装置の表示規格が判別できない場合であっても、コストの上昇及び装置の大型化を招くことなく、何れの表示規格が採用された外部表示装置が接続された場合でも、当該外部表示装置にて映像を表示させることができる。
【００２５】
更に、本発明の前記生成手段は、請求項６に記載の発明のように、前記ビデオ出力端子に前記外部表示装置が接続されていない場合に前記表示手段によって対応している表示規格における表示画像の品質が最も高い表示規格に応じた前記映像信号を生成することが好ましい。これによって、外部表示装置が接続されていない場合には、表示手段により高画質での画像の表示を行うことができる。
【発明の効果】
【００２６】
本発明によれば、コストの上昇及び装置の大型化を招くことなく、何れの表示規格が採用された外部表示装置が接続された場合でも、当該外部表示装置にて映像を表示させることができる、という効果が得られる。
【発明を実施するための最良の形態】
【００２７】
以下、図面を参照して、本発明の実施の形態について詳細に説明する。なお、ここでは、本発明をデジタル電子スチルカメラ（以下、「デジタルカメラ」という。）に適用した場合について説明する。
【００２８】
［第１の実施の形態］
まず、図１を参照して、本実施の形態に係るデジタルカメラ１０の外観上の構成を説明する。
【００２９】
同図に示すように、デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００３０】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３１】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３２】
また、モード切替スイッチ５６Ｃは、撮影を行うモードである撮影モード及び被写体像を後述するＬＣＤ３８に再生するモードである再生モードの何れかのモードに設定する際に回転操作される。
【００３３】
一方、デジタルカメラ１０の背面には、前述のファインダ２０の接眼部と、撮影された被写体像やメニュー画面等を表示するための液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００３４】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、ストロボ４４の発光状態を設定するときに押圧操作されるストロボスイッチと、マクロ撮影を行うときに押圧操作されるマクロ撮影スイッチと、が備えられている。
【００３５】
なお、デジタルカメラ１０の側面には、映像信号を外部に出力するためのビデオ出力端子６６（図１では図示省略。図２参照。）が設けられている。このビデオ出力端子６６には、必要に応じてテレビジョン受像機（以下、「ＴＶ」という。）７４（図２参照。）が接続される。
【００３６】
次に、図２を参照して、本実施の形態に係るデジタルカメラ１０の電気系の主要構成を説明する。
【００３７】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３８】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３９】
なお、デジタル信号処理部３０は、所定容量のラインバッファを内蔵し、入力されたデジタルデータを後述するメモリ４８Ａの所定領域に直接記憶させる制御も行う。
【００４０】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力されて、メモリ４８Ａに記憶される。
【００４１】
一方、デジタルカメラ１０は、デジタル画像データにより示される被写体像やメニュー画面等をＬＣＤ３８に表示させるための映像信号Ｓ１を生成してＬＣＤ３８に供給する一方、ＬＣＤ３８に表示させる画像を示す映像信号Ｓ２を生成してビデオ出力端子６６に供給するビデオ／ＬＣＤエンコーダ３６を備えている。
【００４２】
ここで、ビデオ／ＬＣＤエンコーダ３６は、メモリ４８Ａに記憶されたデジタル画像データを入力し、当該デジタル画像データに基づいて前記被写体像を示し、かつ設定された表示規格に応じたデジタルの映像信号Ｓを生成するデジタルエンコーダ６２と、デジタルエンコーダ６２から出力された映像信号Ｓをアナログ信号に変換して映像信号Ｓ２としてビデオ出力端子６６に供給するデジタル／アナログ変換器（以下、「ＤＡＣ」という。）６４と、デジタルエンコーダ６２から出力された映像信号Ｓに基づいてＬＣＤ３８に供給する映像信号Ｓ１を生成するＬＣＤコントローラ６８と、を備えている。
【００４３】
なお、本実施の形態に係るデジタルエンコーダ６２では、設定可能な表示規格としてＮＴＳＣ方式及びＰＡＬ方式の２種類が採用されている。また、デジタルエンコーダ６２は、ビデオ出力端子６６にＴＶが接続されていない場合にＬＣＤ３８によって対応している表示規格における表示画像の品質が最も高い表示規格（ここでは、ＮＴＳＣ方式）に応じた映像信号Ｓを生成する
また、本実施の形態に係るＬＣＤコントローラ６８では、映像信号Ｓにより示される被写体像の画素配列をＬＣＤ３８の画素配列に変換する画素配列変換処理、当該被写体像の画素数をＬＣＤ３８の画素数に変換する画素数変換処理、当該被写体像に対するＬＣＤ３８の特性等に応じたガンマ処理やシャープネス処理等の各種処理を実行するが、以上のようなＬＣＤコントローラ６８の動作は従来既知であるので、これ以上の説明は省略する。
【００４４】
一方、デジタルカメラ１０は、デジタルカメラ１０全体の動作を司るＣＰＵ（中央処理装置）４０と、撮影により得られたデジタル画像データ等を一時的に記憶するメモリ４８Ａと、各種パラメータ等の所定情報が予め記憶されたメモリ４８Ｂと、メモリ４８Ａ及びメモリ４８Ｂに対するアクセスの制御を行うメモリインタフェース４６と、を含んで構成されている。
【００４５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、外部の音声を音声信号として入力するマイクロフォン７２と、マイクロフォン７２から出力されたアナログの音声信号をデジタルの音声信号に変換するＡＤＣ７０と、を含んで構成されている。
【００４６】
なお、本実施の形態のデジタルカメラ１０では、メモリ４８ＡとしてＳＤＲＡＭ（Synchronous DRAM）が用いられ、メモリ４８Ｂとしてフラッシュ・メモリが用いられ、メモリカード５２としてスマートメディア（Smart Media(登録商標)）が用いられている。
【００４７】
デジタル信号処理部３０、ビデオ／ＬＣＤエンコーダ３６、ＣＰＵ４０、メモリインタフェース４６、外部メモリインタフェース５０、圧縮・伸張処理回路５４、及びＡＤＣ７０はシステムバスＢＵＳを介して相互に接続されている。従って、ＣＰＵ４０は、デジタル信号処理部３０、ビデオ／ＬＣＤエンコーダ３６及び圧縮・伸張処理回路５４の作動の制御、メモリ４８Ａ、メモリ４８Ｂ及びメモリカード５２へのメモリインタフェース４６ないし外部メモリインタフェース５０を介したアクセス、マイクロフォン７２を介した外部の音声を示す音声信号の取得を、各々行うことができる。
【００４８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５１】
更に、前述のレリーズスイッチ５６Ａ、電源スイッチ５６Ｂ、モード切替スイッチ５６Ｃ、十字カーソルスイッチ５６Ｄ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００５２】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５３】
ところで、本実施の形態に係るビデオ出力端子６６は、ＴＶが接続された際にオン状態となり、ＴＶが接続されていない場合にオフ状態となるスイッチ付き端子として構成されており、当該スイッチはＣＰＵ４０に接続されている。従って、ＣＰＵ４０は、ビデオ出力端子６６にＴＶが接続されたか否かを把握することができる。
【００５４】
次に、本実施の形態に係るデジタルカメラ１０の撮影時における全体的な動作について簡単に説明する。
【００５５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８Ａの所定領域に直接格納する。
【００５７】
メモリ４８Ａの所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００５８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、当該ＹＣ信号をメモリ４８Ａの上記所定領域に再び格納する。
【００５９】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合にビデオ／ＬＣＤエンコーダ３６は、デジタルエンコーダ６２によってメモリ４８Ａに記憶されているデジタル画像データを読み出して映像信号Ｓを生成し、ＬＣＤコントローラ６８によって従来既知の技術によりＬＣＤ３８に供給可能な映像信号Ｓ１を生成してＬＣＤ３８に順次出力する。これによってＬＣＤ３８にスルー画像が表示されることになる。
【００６０】
一方、この際、デジタルエンコーダ６２からＬＣＤコントローラ６８に出力される映像信号ＳはＤＡＣ６４にも順次出力される。これによって、ビデオ出力端子６６には、スルー画像を示す映像信号Ｓ２が順次供給されることになる。
【００６１】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８Ａに格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００６２】
ところで、本実施の形態に係るデジタルカメラ１０では、ＴＶ７４がビデオ出力端子６６に接続された際にビデオ出力制御処理が実行される。
【００６３】
次に、図３を参照して、当該ビデオ出力制御処理を実行する際のデジタルカメラ１０の作用を説明する。なお、図３は、このときデジタルカメラ１０のＣＰＵ４０で実行されるビデオ出力制御処理プログラムの処理の流れを示すフローチャートであり、当該プログラムはメモリ４８Ｂの所定領域に予め記憶されている。
【００６４】
同図のステップ１００では、ビデオ／ＬＣＤエンコーダ３６に対し、予め定められた表示規格選択画面をＬＣＤ３８にて表示するように制御し、次のステップ１０２にて所定情報の入力待ちを行う。
【００６５】
図４には、上記ステップ１００の処理によってＬＣＤ３８に表示される表示規格選択画面の表示状態が示されている。同図に示すように、本実施の形態に係る表示規格選択画面では、接続したＴＶの表示規格の指定を促すメッセージと共に、指定対象とする表示規格の名称として「ＮＴＳＣ方式」及び「ＰＡＬ方式」の２つの名称が、指定された際にマークされる円形枠と共に表示される。同図に示されるような表示規格選択画面がＬＣＤ３８に表示されると、ユーザは、デジタルカメラ１０のビデオ出力端子６６に接続したＴＶが採用している表示規格の名称を十字カーソルスイッチ５６Ｄの操作によって指定する。これに応じて上記ステップ１０２が肯定判定となってステップ１０４に移行する。なお、同図では、ユーザによって「ＰＡＬ方式」が指定された状態が示されている。
【００６６】
ステップ１０４では、ユーザによって指定された表示規格が所定方式（ここでは、ＮＴＳＣ方式）であったか否かを判定し、肯定判定となった場合はステップ１０６に移行して、上記所定方式にて映像信号Ｓを生成するようにデジタルエンコーダ６２に設定する。これに応じてデジタルエンコーダ６２では、これ以降、上記所定方式にて映像信号Ｓを生成することになる。この結果、ＬＣＤ３８及びＴＶ７４には、上記所定方式に応じた仕様の画像が表示されることになる。
【００６７】
次のステップ１０８では、ＴＶ７４がビデオ出力端子６６から取り外されるまで待機し、ＴＶ７４が取り外されると、次のステップ１１０にて、映像信号Ｓ２のＴＶ７４への出力を停止させた後、本ビデオ出力制御処理プログラムを終了する。上記ステップ１１０の処理に応じて映像信号Ｓ２のビデオ出力端子６６への供給が停止される。この結果、ＬＣＤ３８のみに上記所定方式に応じた仕様の画像が表示されることになる。
【００６８】
一方、上記ステップ１０４において否定判定となった場合はユーザによって指定された表示規格が上記所定方式でない方式（ここでは、ＰＡＬ方式）であったものと見なしてステップ１１２に移行する。
【００６９】
ステップ１１２では、上記所定方式でない方式にて映像信号Ｓを生成するようにデジタルエンコーダ６２に設定する。これに応じてデジタルエンコーダ６２では、これ以降、上記所定方式でない方式にて映像信号Ｓを生成することになる。この結果、ＬＣＤ３８及びＴＶ７４には、上記所定方式でない方式に応じた仕様の画像が表示されることになる。
【００７０】
次のステップ１１４では、ＴＶ７４がビデオ出力端子６６から取り外されるまで待機し、ＴＶ７４が取り外されると、次のステップ１１６にて、上記所定方式（ここでは、ＮＴＳＣ方式）にて映像信号Ｓを生成するようにデジタルエンコーダ６２に設定すると共に、映像信号Ｓ２のＴＶ７４への出力を停止させた後、本ビデオ出力制御処理プログラムを終了する。上記ステップ１１６の処理に応じてデジタルエンコーダ６２では、これ以降、上記所定方式にて映像信号Ｓを生成すると共に、映像信号Ｓ２のビデオ出力端子６６への供給が停止される。この結果、ＬＣＤ３８のみに上記所定方式に応じた仕様の画像が表示されることになる。
【００７１】
以上詳細に説明したように、本実施の形態によれば、ビデオ出力端子に外部表示装置（ここでは、ＴＶ７４）が接続された場合に当該外部表示装置の表示規格を指定させるための指定画面（ここでは、表示規格選択画面）を表示手段（ここでは、ＬＣＤ３８）によって表示させ、当該指定画面を介して指定された表示規格を、映像信号を生成する生成手段（ここでは、デジタルエンコーダ６２）に設定しているので、表示規格を判別するための特別な回路構成等の新たな構成要素を必要とせず、コストの上昇及び装置の大型化を招くことなく、何れの表示規格が採用された外部表示装置が接続された場合でも、当該外部表示装置にて映像を表示させることができる。
【００７２】
また、本実施の形態によれば、前記生成手段において、ビデオ出力端子に前記外部表示装置が接続されていない場合に前記表示手段によって対応している表示規格における表示画像の品質が最も高い表示規格（ここでは、ＮＴＳＣ方式）に応じた前記映像信号を生成しているので、外部表示装置が接続されていない場合には、表示手段により高画質での画像の表示を行うことができる。
【００７３】
［第２の実施の形態］
本第２の実施の形態では、接続されたＴＶが対応している表示規格を自動的に判別する場合の形態例について説明する。なお、本第２の実施の形態に係るデジタルカメラ１０の構成は、上記第１の実施の形態に係るもの（図１及び図２参照。）と同様であるので、ここでの説明は省略する。
【００７４】
以下、図５を参照して、本第２の実施の形態に係るデジタルカメラ１０のビデオ出力制御処理を実行する際の作用を説明する。なお、図５は、このときデジタルカメラ１０のＣＰＵ４０で実行されるビデオ出力制御処理プログラムの処理の流れを示すフローチャートであり、当該プログラムはメモリ４８Ｂの所定領域に予め記憶されている。
【００７５】
同図のステップ２００では、デジタルエンコーダ６２に対し、映像信号Ｓを所定方式（ここでは、ＮＴＳＣ方式）に応じ、かつ予め定められた基準音声信号が重畳された状態で生成させるように制御する。これに応じて、ＴＶ７４の表示規格が上記所定方式である場合に限り、ＴＶ７４から上記基準音声信号によって示される音声が発せられることになる。
【００７６】
そこで、次のステップ２０２では、マイクロフォン７２からの音声信号を所定期間（ここでは、３秒間）取り込む。
【００７７】
次のステップ２０４では、上記ステップ２０２において取り込んだ音声信号により示される音声が上記基準音声信号によって示される音声に対応するものであるか否かを、取り込んだ音声信号の周波数成分が上記基準音声信号の周波数成分と略一致するか否かを判定することにより判定し、肯定判定となった場合はステップ２０６に移行して、上記所定方式にて映像信号Ｓを生成するようにデジタルエンコーダ６２に設定する。これに応じてデジタルエンコーダ６２では、これ以降、上記所定方式にて映像信号Ｓを生成することになる。この結果、ＬＣＤ３８及びＴＶ７４には、上記所定方式に応じた仕様の画像が表示されることになる。
【００７８】
次のステップ２０８では、ＴＶ７４がビデオ出力端子６６から取り外されるまで待機し、ＴＶ７４が取り外されると、次のステップ２１０にて、映像信号Ｓ２のＴＶ７４への出力を停止させた後、本ビデオ出力制御処理プログラムを終了する。上記ステップ２１０の処理に応じて映像信号Ｓ２のビデオ出力端子６６への供給が停止される。この結果、ＬＣＤ３８のみに上記所定方式に応じた仕様の画像が表示されることになる。
【００７９】
一方、上記ステップ２０４において否定判定となった場合はＴＶ７４の表示規格が上記所定方式でない方式（ここでは、ＰＡＬ方式）であったものと見なしてステップ２１２に移行する。
【００８０】
ステップ２１２では、上記所定方式でない方式にて映像信号Ｓを生成するようにデジタルエンコーダ６２に設定する。これに応じてデジタルエンコーダ６２では、これ以降、上記所定方式でない方式にて映像信号Ｓを生成することになる。この結果、ＬＣＤ３８及びＴＶ７４には、上記所定方式でない方式に応じた仕様の画像が表示されることになる。
【００８１】
次のステップ２１４では、ＴＶ７４がビデオ出力端子６６から取り外されるまで待機し、ＴＶ７４が取り外されると、次のステップ２１６にて、上記所定方式（ここでは、ＮＴＳＣ方式）にて映像信号Ｓを生成するようにデジタルエンコーダ６２に設定すると共に、映像信号Ｓ２のＴＶ７４への出力を停止させた後、本ビデオ出力制御処理プログラムを終了する。上記ステップ２１６の処理に応じてデジタルエンコーダ６２では、これ以降、上記所定方式にて映像信号Ｓを生成すると共に、映像信号Ｓ２のビデオ出力端子６６への供給が停止される。この結果、ＬＣＤ３８のみに上記所定方式に応じた仕様の画像が表示されることになる。
【００８２】
以上詳細に説明したように、本実施の形態によれば、ビデオ出力端子に外部表示装置（ここでは、ＴＶ７４）が接続された場合に、映像信号を予め定められた表示規格（ここでは、ＮＴＳＣ方式）に応じ、かつ予め定められた基準音声信号が重畳された状態で生成させるように、映像信号を生成する生成手段（ここでは、デジタルエンコーダ６２）を制御すると共に、当該制御に応じて生成された映像信号が入力されて前記外部表示装置から発せられる音声を音声信号として入力し、当該音声信号によって示される音声が前記基準音声信号によって示される音声に対応するものであるか否かを判定して、対応するものであると判定した場合には前記予め定められた表示規格を前記生成手段に設定し、対応するものではないと判定した場合には前記予め定められた表示規格以外の表示規格（ここでは、ＰＡＬ方式）を前記生成手段に設定しているので、表示規格を判別するための特別な回路構成等の新たな構成要素を必要とせず、コストの上昇及び装置の大型化を招くことなく、何れの表示規格が採用された外部表示装置が接続された場合でも、当該外部表示装置にて映像を表示させることができる。
【００８３】
また、本実施の形態によれば、前記生成手段において、ビデオ出力端子に前記外部表示装置が接続されていない場合に表示手段（ここでは、ＬＣＤ３８）によって対応している表示規格における表示画像の品質が最も高い表示規格（ここでは、ＮＴＳＣ方式）に応じた前記映像信号を生成しているので、外部表示装置が接続されていない場合には、表示手段により高画質での画像の表示を行うことができる。
【００８４】
［第３の実施の形態］
本第３の実施の形態では、接続されたＴＶが対応している表示規格を自動的に判別すると共に、当該判別ができなかった場合にユーザに対して上記表示規格を指定させる場合の形態例について説明する。なお、本第３の実施の形態に係るデジタルカメラ１０の構成も、上記第１の実施の形態に係るもの（図１及び図２参照。）と同様であるので、ここでの説明は省略する。
【００８５】
以下、図６を参照して、本第３の実施の形態に係るデジタルカメラ１０のビデオ出力制御処理を実行する際の作用を説明する。なお、図６は、このときデジタルカメラ１０のＣＰＵ４０で実行されるビデオ出力制御処理プログラムの処理の流れを示すフローチャートであり、図５と同一の処理を行うステップには図５と同一のステップ番号を付して、その説明を省略する。
【００８６】
図６のステップ２０４において否定判定となった場合はステップ２２０に移行し、デジタルエンコーダ６２に対して、映像信号Ｓを所定方式でない方式（ここでは、ＰＡＬ方式）に応じ、かつ予め定められた基準音声信号が重畳された状態で生成させるように制御する。これに応じて、ＴＶ７４の表示規格が上記所定方式でない場合に限り、ＴＶ７４から上記基準音声信号によって示される音声が発せられることになる。
【００８７】
そこで、次のステップ２２２では、マイクロフォン７２からの音声信号を所定期間（ここでは、３秒間）取り込む。
【００８８】
次のステップ２２４では、上記ステップ２２２において取り込んだ音声信号により示される音声が上記基準音声信号によって示される音声に対応するものであるか否かを、取り込んだ音声信号の周波数成分が上記基準音声信号の周波数成分と略一致するか否かを判定することにより判定し、肯定判定となった場合は接続されたＴＶの表示規格が上記所定方式でない方式であったものと見なしてステップ２２６に移行する。
【００８９】
ステップ２２６では、上記所定方式でない方式にて映像信号Ｓを生成するようにデジタルエンコーダ６２に設定する。これに応じてデジタルエンコーダ６２では、これ以降、上記所定方式でない方式にて映像信号Ｓを生成することになる。この結果、ＬＣＤ３８及びＴＶ７４には、上記所定方式でない方式に応じた仕様の画像が表示されることになる。
【００９０】
次のステップ２２８では、ＴＶ７４がビデオ出力端子６６から取り外されるまで待機し、ＴＶ７４が取り外されると、次のステップ２３０にて、上記所定方式（ここでは、ＮＴＳＣ方式）にて映像信号Ｓを生成するようにデジタルエンコーダ６２に設定すると共に、映像信号Ｓ２のＴＶ７４への出力を停止させた後、本ビデオ出力制御処理プログラムを終了する。上記ステップ２３０の処理に応じてデジタルエンコーダ６２では、これ以降、上記所定方式にて映像信号Ｓを生成すると共に、映像信号Ｓ２のビデオ出力端子６６への供給が停止される。この結果、ＬＣＤ３８のみに上記所定方式に応じた仕様の画像が表示されることになる。
【００９１】
一方、上記ステップ２２４において否定判定となった場合はステップ２３２に移行して、ビデオ／ＬＣＤエンコーダ３６に対し、予め定められた表示規格選択画面（ここでは、図４に示される表示規格選択画面）をＬＣＤ３８にて表示するように制御し、次のステップ２３４にて所定情報の入力待ちを行う。
【００９２】
図４に示されるような表示規格選択画面がＬＣＤ３８に表示されると、ユーザは、デジタルカメラ１０のビデオ出力端子６６に接続したＴＶが採用している表示規格の名称を十字カーソルスイッチ５６Ｄの操作によって指定する。これに応じて上記ステップ２３４が肯定判定となってステップ２３６に移行する。
【００９３】
ステップ２３６では、ユーザによって指定された表示規格が所定方式（ここでは、ＮＴＳＣ方式）であったか否かを判定し、肯定判定となった場合はステップ２０６に移行し、否定判定となった場合はステップ２２６に移行する。
【００９４】
以上詳細に説明したように、本実施の形態によれば、ビデオ出力端子に外部表示装置（ここでは、ＴＶ７４）が接続された場合に、映像信号を予め定められた表示規格（ここでは、ＮＴＳＣ方式）に応じ、かつ予め定められた基準音声信号が重畳された状態で生成させるように、映像信号を生成する生成手段（ここでは、デジタルエンコーダ６２）を制御すると共に、当該制御に応じて生成された映像信号が入力されて前記外部表示装置から発せられる音声を音声信号として入力し、当該音声信号によって示される音声が前記基準音声信号によって示される音声に対応するものであるか否かを判定して、対応するものではないと判定した場合に、前記映像信号を、それまでに前記生成手段に設定していない表示規格に応じ、かつ前記基準音声信号が重畳された状態で生成させるように前記生成手段を制御すると共に、当該制御に応じて前記生成手段により生成された映像信号が入力されて前記外部表示装置から発せられる音声を音声信号として入力し、当該音声信号によって示される音声が前記基準音声信号によって示される音声に対応するものであるか否かを判定することを、対応するものであると判定するまで繰り返し実行し、当該対応するものであると判定したときに前記生成手段により生成されている映像信号の表示規格を前記外部表示装置の表示規格であるものとして前記生成手段に設定しているので、表示規格を判別するための特別な回路構成等の新たな構成要素を必要とせず、コストの上昇及び装置の大型化を招くことなく、何れの表示規格が採用された外部表示装置が接続された場合でも、当該外部表示装置にて映像を表示させることができる。
【００９５】
また、本実施の形態によれば、前記繰り返し実行する処理を、対象とする全ての表示規格について実行しても前記対応するものであると判定されない場合、前記外部表示装置の表示規格を指定させるための指定画面（ここでは、表示規格選択画面）を表示するように表示手段（ここでは、ＬＣＤ３８）を制御し、当該指定画面を介して指定された表示規格を前記生成手段に設定しているので、周囲に雑音が多い等の理由により、外部表示装置の表示規格が判別できない場合であっても、コストの上昇及び装置の大型化を招くことなく、何れの表示規格が採用された外部表示装置が接続された場合でも、当該外部表示装置にて映像を表示させることができる。
【００９６】
なお、本第３の実施の形態では、対象とする表示規格をＮＴＳＣ方式及びＰＡＬ方式の２種類とした場合について説明したが、本発明はこれに限定されるものではなく、例えば、ＰＡＬ方式に代えてＳＥＣＡＭ方式を適用したり、ＮＴＳＣ方式及びＰＡＬ方式に加えてＳＥＣＡＭ方式を適用する形態とすることもできる。この場合も、本実施の形態と同様の効果を奏することができる。
【００９７】
また、上記第２、第３の実施の形態では、取り込んだ音声信号により示される音声が基準音声信号によって示される音声に対応するものであるか否かを、取り込んだ音声信号の周波数成分が基準音声信号の周波数成分と略一致するか否かを判定することにより判定する場合について説明したが、本発明はこれに限定されるものではなく、例えば、基準音声信号として、所定期間（例えば、０．３秒間）毎の周期的な音の繰り返しを示す音声信号を適用し、取り込んだ音声信号により示される音の周期が上記所定周期に略一致するか否かを判定することにより判定する形態とすることもできる。この場合、上記第２、第３の実施の形態に比較して、簡易に当該判定を行うことができる。
【００９８】
その他、上記各実施の形態で説明したビデオ出力制御処理プログラムの処理の流れ（図３、図５、図６参照。）は一例であり、本発明の主旨を逸脱しない範囲内において適宜変更可能であることは言うまでもない。
【００９９】
また、上記各実施の形態で説明したデジタルカメラ１０の構成（図１及び図２参照。）も一例であり、本発明の主旨を逸脱しない範囲内において適宜変更可能であることは言うまでもない。
【０１００】
例えば、上記各実施の形態では、本発明のビデオ出力端子及び検出手段として、スイッチ付き端子として構成されたビデオ出力端子６６を適用した場合について説明したが、本発明はこれに限定されるものではなく、例えば、本発明のビデオ出力端子としてスイッチが付いていないビデオ出力端子を適用し、これとは別個に、ビデオ出力端子に外部表示装置が接続されたことを検出するスイッチを設ける形態とすることもできる。この場合も、上記各実施の形態と同様の効果を奏することができる。
【０１０１】
更に、上記第１、第３の実施の形態で説明した表示規格選択画面の表示状態（図４参照。）も一例であり、本発明の主旨を逸脱しない範囲内において適宜変更可能であることは言うまでもない。
【図面の簡単な説明】
【０１０２】
【図１】実施の形態に係るデジタルカメラの外観を示す外観図である。
【図２】実施の形態に係るデジタルカメラの電気系の主要構成を示すブロック図である。
【図３】第１の実施の形態に係るビデオ出力制御処理プログラムの処理の流れを示すフローチャートである。
【図４】実施の形態に係る表示規格選択画面の表示状態を示す概略図である。
【図５】第２の実施の形態に係るビデオ出力制御処理プログラムの処理の流れを示すフローチャートである。
【図６】第３の実施の形態に係るビデオ出力制御処理プログラムの処理の流れを示すフローチャートである。
【符号の説明】
【０１０３】
１０    デジタルカメラ
２４    ＣＣＤ（撮像手段）
３８    ＬＣＤ（表示手段）
４０    ＣＰＵ（制御手段）
６２    デジタルエンコーダ（生成手段）
６６    ビデオ出力端子（ビデオ出力端子、検出手段）
７２    マイクロフォン（音声入力手段）
７４    テレビジョン受像機（外部表示装置）
【図１】
2006203411.tif 000003
【図２】
2006203411.tif 000004
【図３】
2006203411.tif 000005
【図４】
2006203411.tif 000006
【図５】
2006203411.tif 000007
【図６】
2006203411.tif 000008